(57)【要約】【課題】ディスクの特性により、バイアスパワーと再生品質の特性が理想的でない場合に、エラーレートが最も小さくなるバイアスパワーとは異なるバイアスパワーが記録パワーとして決定されるという課題である。【解決手段】最適な記録パワーを決定するために、記録パワーを順次変化させながら所定領域内の複数セクタに所定のデータを記録し、各記録パワーでの再生信号品質を検出し、あらかじめ決めておいた再生信号品質のしきい値より再生信号品質が悪くなる記録パワーに基づいて記録パワーの上限値と下限値を求める時、しきい値とは別にしきい値よりも良い再生信号品質の範囲をあらかじめ決め、記録パワーを順次変化させながら記録を行い、再生信号品質を検出していく段階で、再生信号品質が少なくとも２回その範囲に入った場合に、その範囲の再生信号品質となった記録パワーに基づいて記録パワーの上限値と下限値を決定する。【選択図】図４
2006302439.tif 000002
【特許請求の範囲】
【請求項１】
光ディスクからの信号を再生信号に変換処理を行う処理手段と、前記処理手段で変換処理された再生信号の信号品質を検出する検出手段と、光ディスクに記録するレーザーの記録パワーを制御する制御手段と、前記検出手段の出力を基にレーザーの記録パワーを決定する決定手段とを備え、前記制御手段でレーザーの記録パワーを段階的に上げて、前記検出手段で再生信号品質を検出し、前記検出手段の再生信号品質の複数の閾値の範囲に、前記検出手段の再生信号品質が少なくとも２回あることを検出した場合に、前記決定手段は、再生信号品質が良い方の前記閾値を基にレーザーの記録パワーを決定することを特徴とする光ディスク装置。
【請求項２】
前記検出手段は、再生信号のエラーレートまたはジッタを検出することを特徴とする請求項１記載の光ディスク装置。
【発明の詳細な説明】
【技術分野】
【０００１】
本発明は、光ディスク装置に関するものである。
【背景技術】
【０００２】
近年、光ディスク装置は映像信号および音響信号の記録、再生に広く利用されている。その中で、ＤＶＤ−ＲＡＭやＤＶＤ−ＲＷ、ＤＶＤ＋ＲＷといった書き換え可能なＤＶＤが市場投入され、コンピュータ用バックアップ媒体、ＶＴＲに代わる映像記録媒体として、市場が拡大しつつある。
【０００３】
ＤＶＤ−ＲＡＭ  やＤＶＤ−ＲＷ等の記録消去可能な記録型ＤＶＤ媒体では、相変化記録方式が採用されている。相変化記録方式では、基本的に「０」と「１」の情報を結晶とアモルファスに対応させて記録を行なっている。この結晶化した部分とアモルファス化した部分にレーザービームを照射し、反射光を再生させることにより、記録された「０」と「１」を検出できる。所定の位置をアモルファスにするためには、比較的高いパワーのピークパワーでレーザービームを照射することにより、記録層の温度が記録層材料の融点以上になるように加熱する。また、所定の位置を結晶にするためには、比較的低いパワーのバイアスパワーでレーザービームを照射することにより、記録層の温度が記録層材料の融点以下の結晶化温度付近になるように加熱する。こうすることにより、アモルファス状態と結晶状態を可逆的に変化させることができる。
【０００４】
通常の記録消去可能な記録型ＤＶＤ媒体において、オーバーライトを行う際には、ピークパワーとそれよりも低いバイアスレーザーパワーの間で記録パルスの変調を行い、既に記録されているアモルファスのマークを消去しながら新しい記録を行うため、新しい情報を記録する過程で以前に記録された情報が残っていると、ノイズとなり正確な情報を記録できなくなる。また、ピークパワーが小さくなると正しくマークを形成することができず、記録性能が悪化し、逆に、ピークパワーが大きすぎると、ディスクへのストレスが増加し、繰り返し記録性能が悪化する。したがって、正しい記録を行うためには、適切なピークパワーとバイアスパワーの設定が不可欠である。
【０００５】
この中で、バイアスパワーの最適化方式について一例を挙げると、バイアスパワーを変化させながら、データの試し書きとデータの再生品質評価を行い、記録パワーに対する再生品質の特性を測定し、エラーレートの閾値を超える低パワー側と高パワー側のバイアスパワーの値を求め、２つのパワーに基づいて最適なバイアスパワーを設定するという方法がある（例えば、特許文献１や非特許文献１参照）。
【０００６】
図６に、従来の光ディスク装置の最適バイアスパワー決定方式のフローチャートを示す。図６のフローチャートにおいて、ステップ１０１からステップ１０９までにおいてバイアスパワーの上限値を求め、ステップ１１０は上限値検出と同様の手順で下限値を求め、ステップ１１０で、求めた上限値と下限値から最適バイアスパワーを決定している。
【０００７】
光ディスク上の記録パワーを決定するための試し書き領域へ光ピックアップが移動し（Ｓ１０１）、記録パワーが設定される（Ｓ１０２）と、その記録パワーで光ディスク上の試し書き領域にデータが記録され、その記録データが再生される（Ｓ１０３）。その再生信号のＢＥＲ（バイトエラーレート）を検出することにより、再生信号品質を検出し、その検出結果があらかじめ決定しておいたしきい値ＥＲ１よりも小さいかどうかを判別する（Ｓ１０４）。
【０００８】
最初の記録の再生信号品質がＥＲ１よりも大きければ（Ｓ１０４でＮＯ）、その前の記録までに、再生信号品質がＥＲ１より小さいことがあったかどうかの判別を行い（Ｓ１０７）、再生信号品質がＥＲ１より小さいことがなければ（Ｓ１０７でＮＯ）、初めのパワーよりも低いバイアスパワー（Ｓ１０８）を設定し（Ｓ１０２）、設定された記録パワーで前回と同様に記録、再生を行い（Ｓ１０３）、再度その再生信号品質がＥＲ１より小さいかどうかの判別を行う（Ｓ１０４）。このようにして、バイアスパワーを小さくしていって再生信号品質がＥＲ１より小さくなるまで記録、再生を繰り返し、再生信号品質がＥＲ１より小さくなった時のバイアスパワーとその直前のバイアスパワーの平均を上限値として決定する。
【０００９】
最初の記録の再生信号品質がＥＲ１よりも小さければ（Ｓ１０４でＹＥＳ）、その前の記録までに、再生信号品質がＥＲ１より大きいことがあったかどうかの判別を行い（Ｓ１０５）、再生信号品質がＥＲ１より大きいことがなければ（Ｓ１０５でＮＯ）、初めのパワーよりも高いバイアスパワー（Ｓ１０６）を設定し（Ｓ１０２）、設定された記録パワーで前回と同様に記録、再生を行い（Ｓ１０３）、再度その再生信号品質がＥＲ１より小さいかどうかの判別を行う（Ｓ１０４）。このようにして、バイアスパワーを小さくしていって再生信号品質がＥＲ１より大きくなるまで記録、再生を繰り返し、再生信号品質がＥＲ１より大きくなった時のバイアスパワーとその直前のバイアスパワーの平均を上限値として決定する。
【００１０】
上限値の決定と同様の手法で、バイアスパワーの下限値を決定し（Ｓ１１０）、バイアスパワーの上限値と下限値の平均を最適バイアスパワーとして決定する（Ｓ１１１）。
【００１１】
しかしながら、上記のような構成は、バイアスパワーと再生品質との特性が、例えば図２のように理想的であることを前提としており、ディスクの特性等により、例えば図３のようなバイアスパワーと再生品質の特性である場合、エラーレートが最も小さくなる最適なバイアスパワーとは異なるバイアスパワーが最適値として決定されるという課題があった。
【００１２】
本発明は上記課題を鑑み、記録パワーと再生品質の関係が理想的でない場合でも、最適な記録パワーを求めることができる光ディスク装置を提供するものである。
【特許文献１】特開２００１−３３８４２２号公報
【非特許文献１】ＤＶＤ  Ｓｐｅｃｉｆｉｃａｔｉｏｎｓ  ｆｏｒ  Ｒｅｗｒｉｔａｂｌｅ  Ｄｉｓｃ（ＤＶＤ−ＲＡＭ）  Ｐａｒｔ１  ＰＨＹＳＩＣＡＬ  ＳＰＥＣＩＦＩＣＡＴＩＯＮＳ
【発明の開示】
【発明が解決しようとする課題】
【００１３】
解決しようとする問題点は、ディスクの特性等により、バイアスパワーと再生品質の特性が理想的でない場合に、エラーレートが最も小さくなるバイアスパワーとは異なるバイアスパワーが記録パワーとして決定されるという課題である。
【課題を解決するための手段】
【００１４】
ディスクの特性等により、バイアスパワーと再生品質の特性が理想的でない場合にも、エラーレートが最も小さくなる最適なバイアスパワーを記録パワーとして決定するという目的を、最適記録パワー決定手段を改良することで実現した。すなわち、本発明の光ディスク装置は、光ディスクからの信号を再生信号に変換処理を行う処理手段と、前記処理手段で変換処理された再生信号の信号品質を検出する検出手段と、記録パワーを制御し記録を行う制御手段とを備え、最適な記録パワーを決定するために、前記制御手段は、記録パワーを順次変化させながら所定領域内の複数セクタに所定のデータを記録し、前記検出手段で、各記録パワーでの再生信号品質を検出し、あらかじめ決めておいた再生信号品質のしきい値より再生信号品質が悪くなる記録パワーに基づいて記録パワーの上限値と下限値を求める時、前記しきい値とは別に前記しきい値よりも良い再生信号品質の範囲をあらかじめ決め、記録パワーを順次変化させながら記録を行い、再生信号品質を検出していく段階で、再生信号品質が少なくとも２回前記範囲に入った場合に、前記範囲の再生信号品質となった記録パワーに基づいて記録パワーの上限値と下限値を決定する決定手段を備えることを最も主要な特徴とする。
【発明の効果】
【００１５】
本発明の光ディスク装置は、ディスクの特性等により、バイアスパワーと再生品質の特性が理想的でない場合にも、エラーレートが最も小さくなるバイアスパワーを記録パワーとして決定できる利点がある。
【発明を実施するための最良の形態】
【００１６】
（実施の形態１）
以下に本発明の光ディスク装置、実施の形態を説明する。図１は、本発明の実施の形態１のブロック図を示している。図１において、１は光ディスク、２は光ピックアップ、３は再生信号処理回路、４は再生信号品質検出手段、５は最適記録パワー決定手段、６はパワー設定手段、７はレーザー駆動回路である。光ピックアップ２は、記録、再生を行うための光を出射する光源と光ディスク１に光を集光する対物レンズを備えており、記録パワーのレーザー光を光ディスクに出射し光ディスク上に記録を行い、また、再生パワーのレーザー光を光ディスクに出射し光ディスクからのレーザー反射光を受光し、光ディスク上に記録された情報を読み取る。再生信号処理回路３は、光ディスクからの信号を、増幅、波形等化、２値化等の再生信号処理を行い、再生信号を生成する。再生信号品質検出手段４は、再生信号を入力し、その信号品質を検出する。最適記録パワー決定手段５は、複数の記録パワーでの再生信号品質の検出結果に基づいて最適な記録パワーを決定する。記録パワー設定手段６は、記録パワーをレーザー駆動回路７に設定し、レーザー駆動回路７は、設定された記録パワーに応じて光ピックアップのレーザーを駆動する。
【００１７】
ここで、記録時のパワーを決定する際の動作について説明する。相変化型光ディスク装置では、決定するパワーとして、少なくともピークパワーとバイアスパワーがある。本実施の形態では、一例としてバイアスパワーの決定方法について説明する。
【００１８】
まず、記録パワー設定手段６により、バイアスパワーの初期値がレーザー駆動回路７に設定される。続いて光ディスク上の所定の位置に記録するための信号がレーザー駆動回路に送られ、光ピックアップにより光ディスク上にデータが記録される。この時、光ピックアップの構成要素である半導体レーザーの出力光は、光ディスク上に光スポットとして集光され、発光波形に応じた記録マークが光ディスク上に形成される。記録が終わると、光ピックアップの半導体レーザーは再生パワーで発光し、先ほど記録を行ったトラックを再生し、再生信号として光ディスク上の記録マークの有無により変化する信号が再生信号処理回路に入力される。再生信号処理回路で、増幅、波形等化、２値化等の再生信号処理を受け、再生信号品質検出手段に入力される。再生信号品質検出手段１０４は、記録した信号を再生した時のＢＥＲ（バイトエラーレート）を検出する。図３に、バイアスパワーとＢＥＲの関係を示す。図において横軸がバイアスパワーであり、縦軸がＢＥＲである。一般にＢＥＲが小さいほど正確な記録が行われている。バイアスパワーとＢＥＲの関係が理想的であれば、図２のような関係となるが、図３のようなバイアスパワーとＢＥＲの関係となる場合もある。
【００１９】
図４は、最適記録パワー決定手段の動作を示すフローチャートであり、図４を用いて本実施の形態での最適記録パワー決定方法を説明する。また、図５は、ディスクの特性等により、バイアスパワーとＢＥＲの関係が理想的でない場合に、本実施の形態での最適記録パワー決定方法を用いて決定した場合のしきい値と記録パワーを示したものである。図４のフローチャートにおいて、ステップ１１からステップ２２までにおいてバイアスパワーの上限値を求め、ステップ２３とステップ２４は上限値と同様にバイアスパワーの下限値を求め、ステップ２５で、求めた上限値と下限値から最適バイアスパワーを決定している。
【００２０】
光ディスク上の記録パワーを決定するための試し書き領域へ光ピックアップが移動し（Ｓ１１）、記録パワーが設定される（Ｓ１２）と、その記録パワーで光ディスク上の試し書き領域にデータが記録され、その記録データが再生される（Ｓ１３）。その再生信号のＢＥＲ（バイトエラーレート）を検出することにより、再生信号品質を検出し、その検出結果があらかじめ決定しておいたしきい値ＥＲ１よりも小さいかどうかを判別する（Ｓ１４）。
【００２１】
最初の記録の再生信号品質がＥＲ１よりも大きければ（Ｓ１４でＮＯ）、その前の記録までに、再生信号品質がＥＲ１より小さいことがあったかどうかの判別を行い（Ｓ１８）、再生信号品質がＥＲ１より小さいことがなければ（Ｓ１８でＮＯ）、初めのパワーよりも低いバイアスパワー（Ｓ１９）を設定し（Ｓ１２）、設定された記録パワーで前回と同様に記録、再生を行い（Ｓ１３）、再度その再生信号品質がＥＲ１より小さいかどうかの判別を行う（Ｓ１４）。このようにして、バイアスパワーを小さくしていって再生信号品質がＥＲ１より小さくなるまで記録、再生を繰り返し、例えば、再生信号品質がＥＲ１より小さくなった時のバイアスパワーとその直前のバイアスパワーの平均を上限値として決定する。
【００２２】
最初の記録の再生信号品質がＥＲ１よりも小さければ（Ｓ１４でＹＥＳ）、その前の記録までに、再生信号品質がＥＲ１より大きいことがあったかどうかの判別を行い（Ｓ１５）、再生信号品質がＥＲ１より大きいことがなければ（Ｓ１５でＮＯ）、再生信号品質が、あらかじめ決定しおいたしきい値ＥＲ２、ＥＲ３（ＥＲ２、ＥＲ３＜ＥＲ１  ＥＲ３＜ＥＲ２）の間に入っているかどうかの判別を行い（Ｓ１６）、再生信号品質がＥＲ２とＥＲ３の間でなければ（Ｓ１６でＮＯ）、初めのパワーよりも高いバイアスパワー（Ｓ１７）を設定し（Ｓ１２）、設定された記録パワーで前回と同様に記録、再生を行う（Ｓ１３）。
【００２３】
バイアスパワーとＢＥＲの関係が図２のような関係である場合は、このようにして、バイアスパワーを大きくしていって再生信号品質がＥＲ１より大きくなるまで記録、再生を繰り返し、例えば、再生信号品質がＥＲ１より大きくなった時のバイアスパワーとその直前のバイアスパワーの平均を上限値として決定し（Ｓ２０）、同様に下限値検出を行う（Ｓ２４）。
【００２４】
ここで、バイアスパワーとＢＥＲの関係が図３のような関係である場合には、バイアスパワーを大きくしていって記録、再生を繰り返していくと、再生信号品質がＥＲ２とＥＲ３の間となる場合がある。この際には、再生信号品質がＥＲ１よりも小さく（Ｓ１４でＹＥＳ）、その前の記録までに、再生信号品質がＥＲ１より大きいことがなく（Ｓ１５でＮＯ）、再生信号品質がＥＲ２とＥＲ３の間となり（Ｓ１６でＹＥＳ）、その前の記録までに、再生信号品質がＥＲ２とＥＲ３の間になったことがあったかどうかの判別を行い（Ｓ２１）、再生信号品質がＥＲ２とＥＲ３の間になったことがなければ（Ｓ２１でＮＯ）、さらに高いバイアスパワー（Ｓ２２）を設定し（Ｓ１２）、設定された記録パワーで記録、再生を行う（Ｓ１３）。そして、バイアスパワーとＢＥＲの関係が図３のような関係である場合には、この記録での再生信号品質が、再びＥＲ２とＥＲ３の間となる。この際には、再生信号品質がＥＲ１よりも小さく（Ｓ１４でＹＥＳ）、その前の記録までに、再生信号品質がＥＲ１より大きいことがなく（Ｓ１５でＮＯ）、再生信号品質がＥＲ２とＥＲ３の間となり（Ｓ１６でＹＥＳ）、その前の記録までに、再生信号品質がＥＲ２とＥＲ３の間になったことがある（Ｓ２１でＹＥＳ）ため、バイアスパワーとＢＥＲの関係が図３のような関係であると判別し、これ以上バイアスパワーを大きくするのを止めて、バイアスパワーの上限値を、例えば、再生信号品質がＥＲＤ（ＥＲ２＜ＥＲＤ＜ＥＲ３）となって、ＥＲ２とＥＲ３の間となった１回目のバイアスパワーと決定（Ｓ２３）し、下限値検出のＢＥＲしきい値を通常のＥＲ１からＥＲＤに変更して下限値検出を行う（Ｓ２５）。
【００２５】
このようにして、バイアスパワーの上限値と下限値を決定し、例えば、バイアスパワーの上限値と下限値の平均を最適バイアスパワーとして決定する（Ｓ２５）。この時のＥＲ２、ＥＲ３と、実際に決定される最適バイアスパワーは図５のようになる。  なお、ＥＲ２、ＥＲ３は、バイアスパワーとＢＥＲが理想的でない関係となる例からあらかじめ決定しておけばよい。
【００２６】
この一連の動作により、バイアスパワーとＢＥＲの関係が図３のように理想的でない場合にも、ＢＥＲが最小となる最適なバイアスパワーを決定することが出来る。
【００２７】
本実施の形態では、バイアスパワーの上限値と下限値の平均値を最適バイアスパワーと決定しているが、ディスクにあらかじめ記録されているコントロールデータの値や、サーボ状態等を考慮し、下限値と上限値を例えば２：１に内分した値を最適パワーとしてもよい。
【００２８】
また、本実施の形態では、再生信号品質検出手段４は、記録した信号を再生した時のＢＥＲを検出するとしてが、ＢＥＲ以外でも再生信号品質を検出できるのであれば、ビットエラーレートやジッタ等でもよい。
【００２９】
また、本実施の形態では、バイアスパワー決定方法について説明したが、ピークパワーやその他の記録パワーについても当然適用できる。
【００３０】
なお、本発明は、ここで説明した実施例によって限定されるものではなく、同様の効果を得られるやり方はほかにも考えられる。
【産業上の利用可能性】
【００３１】
本発明の光ディスク装置は、バイアスパワーとＢＥＲの関係によらず、最適なバイアスパワーを決定することができる。それゆえ、本発明は、光ディスクへの記録データの信頼性をいっそう向上することができる。
【図面の簡単な説明】
【００３２】
【図１】本発明の実施の形態に於けるブロック図
【図２】バイアスパワーとＢＥＲの理想的関係の一例を示す図
【図３】バイアスパワーとＢＥＲが理想的関係でない一例を示す図
【図４】本発明の実施の形態に於ける最適バイアスパワー決定方法のフローチャート
【図５】バイアスパワーとＢＥＲが理想的関係でない場合に、本発明の実施の形態に於ける最適バイアスパワー決定方式を適用した際のしきい値、記録パワーを示す図
【図６】従来の光ディスク装置の最適バイアスパワー決定方法のフローチャート
【符号の説明】
【００３３】
１    光ディスク
２    光ピックアップ
３    再生信号処理回路
４    再生信号品質検出手段
５    最適記録パワー決定手段
６    パワー設定手段
７    レーザー駆動回路
【図１】
2006302439.tif 000003
【図２】
2006302439.tif 000004
【図３】
2006302439.tif 000005
【図４】
2006302439.tif 000006
【図５】
2006302439.tif 000007
【図６】
2006302439.tif 000008